(57)【特許請求の範囲】
【請求項１】
無線機器と無線端末と他の無線端末とから構成される無線ＬＡＮシステムにおいて、通信するグループを示す識別子である所定のＩＤを用いて前記無線機器と無線接続を確立する前記無線端末であって、
前記他の無線端末が前記無線機器と無線接続を確立する場合に、当該他の無線端末および当該無線機器とで送受信され、送信元アドレスや宛先アドレスに前記無線端末が無線接続を確立している前記無線機器のＩＤが使用されている制御フレームから前記所定のＩＤを取得するＩＤ取得手段と、
前記ＩＤ取得手段で取得した前記所定のＩＤを記憶するＩＤ記憶手段と、
前記ＩＤ記憶手段に記憶された前記所定のＩＤから予め定められた方法で無線接続を確立する際に用いる前記所定のＩＤを決定する再接続用ＩＤ決定手段と、
接続していた当該無線機器との無線接続が前記通信するグループを示す識別子である所定のＩＤの変更により非接続になった場合、前記再接続用ＩＤ決定手段で決定した前記所定のＩＤを用いて無線接続を確立する無線接続再確立手段と、
を有することを特徴とするＩＤ自動更新機能を有する無線端末。
【請求項２】
請求項１に記載の無線端末であって、
前記ＩＤ取得手段は、前記他の無線端末が前記無線機器に送信する無線接続確立要求のための制御フレームから前記通信するグループを示す識別子である所定のＩＤを取得し、
前記ＩＤ記憶手段は、前記無線接続確立要求に応答して当該無線機器が当該他の無線端末に送信する無線接続の確立を示す応答情報を確認すると、前記ＩＤ取得手段が取得した前記所定のＩＤを記憶することを特徴とするＩＤ自動更新機能を有する無線端末。
【請求項３】
請求項１又は請求項２に記載の無線端末であって、
前記再接続用ＩＤ決定手段の予め定められた方法は、前記ＩＤ取得手段で取得し、前記ＩＤ記憶手段に記憶された前記所定のＩＤのうち、前記他の無線端末がもっとも使用頻度が高いＩＤであることを特徴とするＩＤ自動更新機能を有する無線端末。
【請求項４】
請求項１乃至請求項３のいずれかに記載の無線端末であって、
前記ＩＤ取得手段で当該他の無線端末および当該無線機器とで送受信される制御フレームは、Ａｓｓｏｃｉａｔｉｏｎフレーム、ＲｅａｓｓｏｃｉａｔｉｏｎフレームまたはＰｒｏｂｅフレームであることを特徴とするＩＤ自動更新機能を有する無線端末。
【発明の詳細な説明】
【技術分野】
【０００１】
本発明は、ＩＥＥＥ８０２．１１に準拠した無線端末に関し、特にＥＳＳＩＤを用いた無線接続技術に関する。
【背景技術】
【０００２】
ＩＥＥＥ８０２．１１に準拠した無線ＬＡＮシステムでは、無線ＬＡＮ端末や無線アクセスポイント（以下、無線ＡＰと呼称）といった無線機器の間で無線による通信を行うために必要な設定として、ＥＳＳＩＤ（Extended Service Set Identifier）がある。尚、本実施例で説明するＥＳＳＩＤの呼称をＳＳＩＤと略す場合もある。
【０００３】
ＥＳＳＩＤとは通信するグループを示す識別子であり、同じグループで通信を行おうとする無線機器同士は、同じＥＳＳＩＤをセットする必要がある。たとえば、無線ＬＡＮシステムがインフラストラクチャモードで同じグループとして通信を行おうとする場合、無線ＡＰと無線ＬＡＮ端末はすべて同じＥＳＳＩＤをセットすることで通信を行う。
【０００４】
ここで無線ＡＰのＥＳＳＩＤを変更すると、同じグループで通信しているすべての無線ＬＡＮ端末も同じＥＳＳＩＤに変更しなければならない。
【０００５】
無線ＡＰにセットされているＥＳＳＩＤを無線ＬＡＮ端末が簡単に取得する方法として、無線ＡＰが定期的にブロードキャストするＢｅａｃｏｎにＥＳＳＩＤの情報が含まれている場合に、当該ＥＳＳＩＤの情報を読み出すという方法がある。
【０００６】
しかし、無線ＡＰの通信方法において、ステルス機能と呼ばれるＢｅａｃｏｎにＥＳＳＩＤの情報を含まない方法が一般的であり、無線ＡＰがステルス機能で動作している場合、簡単に無線ＬＡＮ端末が無線ＡＰのＥＳＳＩＤの情報を得ることはできない。
【０００７】
また、多数の無線端末を設置工事するような場合、一つ一つの無線端末のＥＳＳＩＤを設定変更しなければならず、設置する無線端末の台数に応じて設定変更の手間が増大する。
【０００８】
無線ＡＰの設定を変更したときの、無線端末の設定変更の手間を削減する技術として特許文献１がある。特許文献１には、無線ＡＰの設定変更に係る情報を記憶媒体に保存しておき、無線端末装置が接続不可になったとき、保存しておいた無線ＡＰの情報を取得し、それを使用して無線通信を確立することで、ユーザがネットワーク接続を意識しなくても自動的に最新のネットワーク設定での接続を行うことができる。
【先行技術文献】
【特許文献】
【０００９】
【特許文献１】特開２００８−７８９５７号公報
【発明の概要】
【発明が解決しようとする課題】
【００１０】
しかし、特許文献１の技術では無線ＡＰの設定変更に係る情報を記憶媒体に保存することができる特殊な無線ＡＰが必要であり、すでに運用中の無線ＬＡＮシステムに適用する場合、すでに運用中の無線ＡＰをこの特殊な無線ＡＰに交換するなどの何らかの対処が必要となる。
【００１１】
本発明は、特別な機能を持たない汎用の無線ＡＰを使用した無線ＬＡＮシステムで、無線ＡＰのＥＳＳＩＤを変更したとき、変更後のＥＳＳＩＤを使用して自動的に無線接続の確立を行う無線端末を提供することを目的とする。
【課題を解決するための手段】
【００１２】
本発明のＩＤ自動更新機能を有する無線端末は、無線機器と無線端末と他の無線端末とから構成される無線ＬＡＮシステムにおいて、通信するグループを示す識別子である所定のＩＤを用いて前記無線機器と無線接続を確立する前記無線端末であって、前記他の無線端末が前記無線機器と無線接続を確立する場合に、当該他の無線端末および当該無線機器とで送受信され、送信元アドレスや宛先アドレスに前記無線端末が無線接続を確立している前記無線機器のＩＤが使用されている制御フレームから前記所定のＩＤを取得するＩＤ取得手段と、前記ＩＤ取得手段で取得した前記所定のＩＤを記憶するＩＤ記憶手段と、  前記ＩＤ記憶手段に記憶された前記所定のＩＤから予め定められた方法で無線接続を確立する際に用いる前記所定のＩＤを決定する再接続用ＩＤ決定手段と、接続していた当該無線機器との無線接続が前記通信するグループを示す識別子である所定のＩＤの変更により非接続になった場合、前記再接続用ＩＤ決定手段で決定した前記所定のＩＤを用いて無線接続を確立する無線接続再確立手段と、を有することを特徴とする。
【００１３】
また、本発明のＩＤ自動更新機能を有する無線端末は、更に、前記ＩＤ取得手段は、前記他の無線端末が当該無線機器に送信する無線接続確立要求のための制御フレームから前記通信するグループを示す識別子である所定のＩＤを取得し、前記ＩＤ記憶手段は、前記無線接続確立要求に応答して当該無線機器が当該他の無線端末に送信する無線接続の確立を示す応答情報を確認すると、前記ＩＤ取得手段が取得した前記所定のＩＤを記憶することを特徴とする。
【００１４】
また、本発明のＩＤ自動更新機能を有する無線端末は、更に、前記再接続用ＩＤ決定手段の予め定められた方法は、前記ＩＤ取得手段で取得し、前記ＩＤ記憶手段に記憶された前記所定のＩＤのうち、前記他の無線端末がもっとも使用頻度が高いＩＤであることを特徴とする。
【００１５】
また、本発明のＩＤ自動更新機能を有する無線端末は、更に、前記ＩＤ取得手段で当該他の無線端末および当該無線機器とで送受信される制御フレームは、Ａｓｓｏｃｉａｔｉｏｎフレーム、ＲｅａｓｓｏｃｉａｔｉｏｎフレームまたはＰｒｏｂｅフレームであることを特徴とする。
【発明の効果】
【００１６】
本発明によれば、特別な機能を持たない汎用の無線ＡＰを使用した無線ＬＡＮシステムで、無線ＡＰのＥＳＳＩＤを変更したとき、変更後のＥＳＳＩＤを使用して自動的に無線接続の確立を行う無線端末が提供でき、ＥＳＳＩＤ変更時のユーザの負担が軽減される。
【００１７】
また、多数の無線端末を設置するような場合に、この発明による無線端末を使用することで、設置する無線端末の台数に応じてＥＳＳＩＤ設定変更の手間が増大するということがなくなり、設置工事者の負担が軽減される。
【図面の簡単な説明】
【００１８】
【図１】図１は本発明の全体構成図である。
【図２】図２は本発明の無線端末のブロック構成図である。
【図３】図３は本発明のＥＳＳＩＤテーブルである。
【図４】図４は本発明のフローチャートである。
【図５】図５は本発明のシーケンス図である。
【図６】図６は本発明の制御情報のフォーマットを示す図である。
【発明を実施するための形態】
【００１９】
図１に全体構成図を示す。図１の無線ＬＡＮシステムは、無線ＡＰ１０と無線端末２０と他端末３０とから構成される。尚、無線ＡＰ１０は、ネットワーク４０に接続していてもよい。
【００２０】
無線端末２０は、本発明対象の無線端末であり、他端末３０は、無線ＡＰ１０と無線接続を確立して無線通信することができる状態の無線端末を示す。
尚、他端末３０は本発明による無線端末であってもよいし、特別な機能を持たない汎用の無線端末であってもよい。
【００２１】
無線ＡＰ１０は、汎用の無線アクセスポイントである。無線ＡＰ１０と無線端末２０と他端末３０はＩＥＥＥ８０２．１１の無線ＬＡＮの規定に従って無線接続の確立や無線データの送受信を行う。
【００２２】
図２に本発明による無線端末２０のブロック構成図を示す。無線通信部２０１は、無線ＡＰ１０や他端末３０といった他の無線機器との間で、無線接続の確立に係る制御フレーム（ＡｓｓｏｃｉａｔｉｏｎフレームまたはＲｅａｓｓｏｃｉａｔｉｏｎフレーム）の送受信や無線データの送受信を行う。
【００２３】
接続断検出部２０２は、自端末の無線接続の確立の状態をチェックし、切断状態を検出したら、再接続用ＥＳＳＩＤ決定部２０５の動作を開始する。自端末の無線接続が切断状態かどうかは、無線ＡＰのＢｅａｃｏｎを受信したときのシーケンス番号の情報から判断する方法や、無線ＡＰからＤｅａｕｔｈｅｎｔｉｃａｔｉｏｎフレームを受信したかどうかで判断する方法で行う。
【００２４】
無線接続確立要求監視部２０３は、他端末３０が、無線ＡＰ１０との間で無線接続を確立する場合に無線で送受信する制御フレーム（ＡｓｓｏｃｉａｔｉｏｎフレームまたはＲｅａｓｓｏｃｉａｔｉｏｎフレーム）を観測する。
【００２５】
観測すべき制御フレームであることの判断は、制御フレームの送信元アドレスや宛先アドレスに、自端末が無線接続を確立している無線ＡＰ２０のＩＤ（ＢＳＳＩＤ）が使用されていることを条件とする。
【００２６】
無線接続確立要求監視部２０３は、観測している制御フレームにＥＳＳＩＤの情報が含まれていたときは、その制御フレームを送受信している無線端末のＩＤと、制御フレームに含まれているＥＳＳＩＤを組にした情報を、ＥＳＳＩＤ記憶部２０４に渡してＥＳＳＩＤ記憶部２０４のＥＳＳＩＤテーブルを更新する。
【００２７】
ＥＳＳＩＤの情報を含む制御フレームとしては、ＡｓｓｏｃｉａｔｉｏｎフレームまたはＲｅａｓｓｏｃｉａｔｉｏｎフレームやＰｒｏｂｅフレームがある。
【００２８】
ＡｓｓｏｃｉａｔｉｏｎフレームまたはＲｅａｓｓｏｃｉａｔｉｏｎフレームからＥＳＳＩＤ記憶部２０４のＥＳＳＩＤテーブルを更新する場合、当該フレームの応答として返信される制御フレームのステータスが、Sｕｃｃｅｓｓｆｕｌの成功を示すコードであった場合に更新する。
【００２９】
ＰｒｏｂｅフレームからＥＳＳＩＤ記憶部２０４のＥＳＳＩＤテーブルを更新する場合、当該Ｐｒｏｂｅフレームの応答として返信される制御フレームが観測した場合に更新する。
【００３０】
ＥＳＳＩＤ記憶部２０４は、図３に示すＥＳＳＩＤテーブルを記憶している。ＥＳＳＩＤテーブルは、無線端末の端末ＩＤを記憶するフィールド無線端末ＩＤ２０４１とＥＳＳＩＤを記憶するフィールドＥＳＳＩＤ２０４２から構成され、無線端末毎にレコード２０４４を記憶する。無線端末ＩＤ２０４１とＥＳＳＩＤ２０４２の情報は、無線接続確立要求監視部２０３から情報を取得する。
【００３１】
無線接続確立要求監視部２０３から取得した無線端末ＩＤとＥＳＳＩＤが、ＥＳＳＩＤテーブルに記憶されていない場合に追加する。
【００３２】
無線端末ＩＤ２０４１は、自端末が無線接続を確立している無線ＡＰ２０と同じ無線ＡＰ２０との間で無線接続を確立している端末のＩＤ（ＭＡＣアドレスまたはＩＰアドレス）である。ＥＳＳＩＤ２０４２は、無線端末ＩＤ２０４１が示す無線端末が送受信する制御フレームで使用されたＥＳＳＩＤである。
【００３３】
尚、図３のＥＳＳＩＤテーブルの要素として、さらに更新時刻をフィールドを記録するようにしてもよい。図３のＥＳＳＩＤテーブルに、更新時刻のフィールドがある場合、無線接続確立要求監視部２０３から取得した無線端末ＩＤとＥＳＳＩＤを、新たに追加した場合または再度検出した場合に、当該更新時刻のフィールドに現在時刻を記録する。
【００３４】
また、図３のＥＳＳＩＤテーブルの組２０４４は、所定の時間（本実施例では５分とする）経過したら情報を削除するようにしてもよい。
【００３５】
再接続用ＥＳＳＩＤ決定部２０５は、ＥＳＳＩＤ記憶部２０４の情報を読み出して無線接続の再確立するためのＥＳＳＩＤを決定し、そのＥＳＳＩＤを使用して無線接続の再確立を行うために、再接続実行部２０６の動作を開始する。
【００３６】
無線接続の再確立を行うためのＥＳＳＩＤの決定方法は、図３のようにＥＳＳＩＤ２０４２に記録されているＥＳＳＩＤの種類が複数の場合、その複数のＥＳＳＩＤの種類のうち、多くの無線端末が使用したＥＳＳＩＤを選択する。
【００３７】
図３の場合、ＥＳＳＩＤ２０４２に記録されているＥＳＳＩＤの種類がＥＳＳＩＤ−ＡとＥＳＳＩＤ−Ｂの２種類あり、ＥＳＳＩＤ−Ａを使用している無線端末が３台、ＥＳＳＩＤ−Ｂを使用している無線端末が１台であることから、ＥＳＳＩＤ−Ａが選択される。
【００３８】
尚、無線接続の再確立を行うためのＥＳＳＩＤの決定方法の別の方法として、図３のＥＳＳＩＤテーブルの組２０４４の要素として、さらに更新時刻が記録されている場合に、記録されている更新時刻が現在時刻に近いＥＳＳＩＤを選択するようにしてもよい。
【００３９】
再接続用ＥＳＳＩＤ決定部２０５は、上記のようにして決定した、無線接続の再確立を行うためのＥＳＳＩＤを、再接続実行部２０６へ通知する。
【００４０】
再接続実行部２０６は、再接続用ＥＳＳＩＤ決定部２０５から通知されたＥＳＳＩＤを使用して無線接続の確立を行う。無線接続の確立は、Ａｓｓｏｃｉａｔｉｏｎ制御フレームを使用する。
【００４１】
図４にフローチャートを示す。このフローチャートは、無線端末２０の電源がＯＮされたときに開始する。
【００４２】
電源ＯＮ後、無線端末２０は、図示しない操作入力部を使用して予めセットされたＥＳＳＩＤを用いて、無線ＡＰ１０との無線接続を確立する（Ｓ４０１）。
【００４３】
また、無線接続確立要求監視部２０３は、他端末３０が無線ＡＰ２０との間で無線接続を確立または確立しようとしている制御フレームを観測する（Ｓ４０２）。
【００４４】
無線接続確立要求監視部２０３は、ＡｓｓｏｃｉａｔｉｏｎフレームまたはＲｅａｓｓｏｃｉａｔｉｏｎフレームを観測した場合（Ｓ４０３：ＹＥＳ）、そのＡｓｓｏｃｉａｔｉｏｎフレームのＥＳＳＩＤの情報を抽出する（Ｓ４０５）。
【００４５】
そのＡｓｓｏｃｉａｔｉｏｎフレームまたはＲｅａｓｓｏｃｉａｔｉｏｎフレームを送受信している他端末３０のＭＡＣアドレスと抽出したＥＳＳＩＤの情報で、ＥＳＳＩＤ記憶部２０４のＥＳＳＩＤテーブルを更新し（Ｓ４０６）、Ｓ４０３に戻る。
【００４６】
無線接続確立要求監視部２０３で、ＡｓｓｏｃｉａｔｉｏｎフレームまたはＲｅａｓｓｏｃｉａｔｉｏｎフレームを観測しない場合（Ｓ４０３：ＮＯ）、接続断検出部２０２は、自端末の無線接続が切断状態かどうかをチェックし、切断状態と判断した場合（Ｓ４０４：ＹＥＳ）、Ｓ４０７に進む。
【００４７】
接続断検出部２０２で、無線接続が切断状態であると判断しない場合（Ｓ４０４：ＮＯ）、Ｓ４０３に戻る。
【００４８】
再接続用ＥＳＳＩＤ決定部２０５は、ＥＳＳＩＤ記憶部２０４のＥＳＳＩＤテーブルにレコードがあるかどうかをチェックする（Ｓ４０７）。
【００４９】
再接続用ＥＳＳＩＤ決定部２０５は、ＥＳＳＩＤ記憶部２０４のＥＳＳＩＤテーブルにレコードがない場合（Ｓ４０７：ＮＯ）、Ｓ４０３に戻る。
【００５０】
尚、ＥＳＳＩＤ記憶部２０４のＥＳＳＩＤテーブルにレコードがない場合（Ｓ４０７：ＮＯ）、Ｓ４０３に戻る前に、自端末の無線接続が切断状態のままにならないようにするために、前回の無線接続が確立したときに使用したＥＳＳＩＤを使って、無線接続の確立を行うようにしてもよい。
【００５１】
再接続用ＥＳＳＩＤ決定部２０５は、ＥＳＳＩＤ記憶部２０４のＥＳＳＩＤテーブルにレコードがある場合（Ｓ４０７：ＹＥＳ）、もっとも多くの無線端末が使用したＥＳＳＩＤを選択する（Ｓ４０８）。
【００５２】
再接続実行部２０６は、Ｓ４０８で選択したＥＳＳＩＤを使用して無線接続の確立を行う（Ｓ４０９）。再接続実行部２０６は、無線接続が確立したかどうかをチェックし（Ｓ４１０）、確立したらＳ４０３へ戻る（Ｓ４１０：ＹＥＳ）。
【００５３】
無線接続が確立しなかった場合（Ｓ４１０：ＮＯ）、再接続実行部２０６は、当該ＥＳＳＩＤのレコードを削除し（Ｓ４１１）、Ｓ４０７へ戻る。
【００５４】
図５にシーケンスを示す。このシーケンスのシステムは、無線ＡＰ１０と無線端末２０と他端末３０−１と他端末３０−２とからなる無線ＬＡＮシステムであり、無線ＡＰ１０と他端末３０−１と他端末３０−２は、特別な機能を持たない汎用の無線端末とし、無線端末２０は本発明による無線端末である。
【００５５】
このシーケンスでは、最初、無線ＡＰ１０のＥＳＳＩＤとしてＳＳＩＤ−Ａがセットされている状態で、この無線ＬＡＮシステムの全無線機器が無線接続確立の状態になった後、無線ＡＰ１０のＥＳＳＩＤをＳＳＩＤ−Ｂに変更する。
【００５６】
無線端末２０と他端末３０−１がそれぞれ無線ＡＰ１０と無線接続確立し、通信中の状態にあり（Ｓ５０１）、他端末３０−２は無線接続が確立していない状態とする。
【００５７】
他端末３０−２は、利用者によってＥＳＳＩＤとしてＳＳＩＤ−Ａをセットされる（Ｓ５０２）。
【００５８】
他端末３０−２は、無線ＡＰ１０との無線接続を確立するため、ＳＳＩＤ−Ａを使用したＥＳＳＩＤを含むＡｓｓｏｃｉａｔｉｏｎフレームまたはＲｅａｓｓｏｃｉａｔｉｏｎフレームで無線接続確立要求を送信する（Ｓ５０３）。
【００５９】
無線端末２０は、Ｓ５０３の手順を観測し、他端末３０−２が使用したＥＳＳＩＤを抽出し、ＥＳＳＩＤ記憶部２０４に記憶する（Ｓ５０４）。
【００６０】
他端末３０−２は、無線ＡＰ１０との無線接続を確立し、通信中の状態になる（Ｓ５０５）。
【００６１】
ここで、無線ＡＰ１０は、無線システムの管理者によってＥＳＳＩＤをＳＳＩＤ−Ｂに変更されたとする（Ｓ５０６）。
【００６２】
無線ＡＰ１０のＥＳＳＩＤが変更になったので、無線端末２０と他端末３０−１と他端末３０−２の使用しているＥＳＳＩＤと一致しなくなり、無線ＬＡＮシステムの全無線機器が接続断の状態になる（Ｓ５０７）。
【００６３】
ここで、他端末３０−１は、利用者によって他端末３０−１のＥＳＳＩＤがＳＳＩＤ−Ｂに変更されたとする（Ｓ５０８）。
【００６４】
他端末３０−１は、無線ＡＰ１０との無線接続を確立するため、ＥＳＳＩＤとしてＳＳＩＤ−Ｂを使用したＡｓｓｏｃｉａｔｉｏｎフレームまたはＲｅａｓｓｏｃｉａｔｉｏｎフレームで無線接続確立要求を送信する（Ｓ５０９）。
【００６５】
無線端末２０は、Ｓ５０９の手順を観測し、他端末３０−１が使用したＥＳＳＩＤを抽出し、ＥＳＳＩＤ記憶部２０４に記憶する（Ｓ５１０）。
【００６６】
他端末３０−１は、無線ＡＰ１０との無線接続を確立し、通信中の状態になる（Ｓ５１１）。また、ここで他端末３０−２は、利用者によって他端末３０−２のＥＳＳＩＤがＳＳＩＤ−Ｂに変更されたとする（Ｓ５１２）。
【００６７】
他端末３０−２は、無線ＡＰ１０との無線接続を確立するため、ＥＳＳＩＤとしてＳＳＩＤ−Ｂを使用したＡｓｓｏｃｉａｔｉｏｎフレームまたはＲｅａｓｓｏｃｉａｔｉｏｎフレームで無線接続確立要求を送信する（Ｓ５１３）。
【００６８】
無線端末２０は、Ｓ５１３の手順を観測し、他端末３０−２が使用したＥＳＳＩＤを抽出し、ＥＳＳＩＤ記憶部２０４に記憶する（Ｓ５１４）。
【００６９】
他端末３０−２は、無線ＡＰ１０との無線接続を確立し、通信中の状態になる（Ｓ５１５）。
【００７０】
接続断検出部２０２で、無線接続が切断状態であることを検出する（Ｓ５１６）。再接続用ＥＳＳＩＤ決定部２０５は、ＥＳＳＩＤ記憶部２０４のＥＳＳＩＤテーブルを参照し、再接続用ＥＳＳＩＤとしてＳＳＩＤ−Ｂを選択する（Ｓ５１７）。
【００７１】
再接続実行部２０６は、無線ＡＰ１０との無線接続を確立するため、再接続用ＥＳＳＩＤ決定部２０５で選択したＥＳＳＩＤのＳＳＩＤ−Ｂを使用したＡｓｓｏｃｉａｔｉｏｎフレームまたはＲｅａｓｓｏｃｉａｔｉｏｎフレームで、無線接続確立要求を送信する（Ｓ５１８）。無線端末２０は、無線ＡＰ１０との無線接続を確立し、通信中の状態になる（Ｓ５１９）。
【００７２】
図６は制御情報のフォーマットを示す図である。図６の制御情報のフォーマットは、標準規格である「IEEE  Standard  for  Information  technology-Telecommunications  and  information  exchange  between  systems-Local  and  metropolitan  area  networks-Specific  requirements-Part  11:  Wireless  LAN  Medium  Access  Control  (MAC)  and  Physical  Layer  (PHY)  Specifications」ドキュメントを参考にしたManagement  Frame  Formatである。
【００７３】
図６において、６０１はＡｓｓｏｃｉａｔｉｏｎ  Ｒｅｑｕｅｓｔフレームを示し、６０２はＡｓｓｏｃｉａｔｉｏｎ  Ｒｅｓｐｏｎｓｅフレームを示し、６０３はＲｅａｓｓｏｃｉａｔｉｏｎ  Ｒｅｑｕｅｓｔフレームを示し、６０４はＲｅａｓｓｏｃｉａｔｉｏｎ  Ｒｅｓｐｏｎｓｅフレームを示している。
【００７４】
Ａｓｓｏｃｉａｔｉｏｎ  Ｒｅｑｕｅｓｔフレーム６０１は、無線端末からＡＰへのＡｓｓｏｃｉａｔｉｏｎの要求で使用し、その応答はＡｓｓｏｃｉａｔｉｏｎ  Ｒｅｓｐｏｎｓｅフレーム６０２となる。
【００７５】
ＥＳＳＩＤ記憶部２０４のＥＳＳＩＤテーブルを更新すべき情報であると判断するのは、このＡｓｓｏｃｉａｔｉｏｎ  Ｒｅｓｐｏｎｓｅフレーム６０２中のＳｔａｔｕｓ  ｃｏｄｅが成功を示すコードのときとする。
【００７６】
Ｒｅａｓｓｏｃｉａｔｉｏｎ  Ｒｅｑｕｅｓｔフレーム６０３は、無線端末からＡＰへのＲｅａｓｓｏｃｉａｔｉｏｎの要求で使用し、その応答はＲｅａｓｓｏｃｉａｔｉｏｎ  Ｒｅｓｐｏｎｓｅフレーム６０４となる。
【００７７】
ＥＳＳＩＤ記憶部２０４のＥＳＳＩＤテーブルを更新すべき情報であると判断するのは、このＲｅａｓｓｏｃｉａｔｉｏｎ  Ｒｅｓｐｏｎｓｅフレーム６０４のＳｔａｔｕｓ  ｃｏｄｅが成功を示すコードのときとする。
【００７８】
また、図６において、６０５はＰｒｏｂｅ  Ｒｅｑｕｅｓｔフレームを示し、６０６はＰｒｏｂｅ  Ｒｅｓｐｏｎｓｅフレームを示している。
【００７９】
Ｐｒｏｂｅ  Ｒｅｑｕｅｓｔフレーム６０５は、無線端末からＡＰへのＰｒｏｂｅの要求で使用し、その応答はＰｒｏｂｅ  Ｒｅｓｐｏｎｓｅフレーム６０６である。ＥＳＳＩＤ記憶部２０４のＥＳＳＩＤテーブルを更新すべき情報であると判断するのは、当該Ｐｒｏｂｅ  Ｒｅｑｕｅｓｔフレームの応答として、このＰｒｏｂｅ  Ｒｅｓｐｏｎｓｅフレーム６０６が観測されたときとする。
【００８０】
以上のように、本発明の無線端末２０は、他端末３０−２が無線ＡＰ１０との無線接続確立要求のために送信した制御フレーム中のＥＳＳＩＤを検出し、無線ＡＰ１０から他端末３０−２への応答を確認して、検出したＥＳＳＩＤによりＥＳＳＩＤ記憶部２０４のＥＳＳＩＤテーブルを更新して記憶することにより、確実にＥＳＳＩＤを検出することができる。
【符号の説明】
【００８１】
１０  無線ＡＰ
２０  無線端末
３０  他端末
４０  ネットワーク
２０１  無線通信部
２０２  接続断検出部
２０３  無線接続確立要求監視部
２０４  ＥＳＳＩＤ記憶部
２０５  再接続用ＥＳＳＩＤ決定部
２０６  再接続実行部
６０１  Ａｓｓｏｃｉａｔｉｏｎ  Ｒｅｑｕｅｓｔフレーム
６０２  Ａｓｓｏｃｉａｔｉｏｎ  Ｒｅｓｐｏｎｓｅフレーム
６０３  Ｒｅａｓｓｏｃｉａｔｉｏｎ  Ｒｅｑｕｅｓｔフレーム
６０４  Ｒｅａｓｓｏｃｉａｔｉｏｎ  Ｒｅｓｐｏｎｓｅフレーム
６０５  Ｐｒｏｂｅ  Ｒｅｑｕｅｓｔフレーム
６０６  Ｐｒｏｂｅ  Ｒｅｓｐｏｎｓｅフレーム
【図１】
0005608913.tif 000002
【図２】
0005608913.tif 000003
【図３】
0005608913.tif 000004
【図４】
0005608913.tif 000005
【図５】
0005608913.tif 000006
【図６】
0005608913.tif 000007